(57)【要約】【課題】定常光が明るく、予備発光の反射光測光が難しいシーンであっても、精度よく予備発光測光を行え、その結果として、本発光時に良好な露光量で閃光発光撮影を行える閃光制御装置を提供する。【解決手段】本発光の前に予備発光を間欠的に繰り返し行う閃光発光部を制御する閃光制御装置において、予備発光の発光タイミングに同期して繰り返す間欠的な単位時間ｔ１中に測光を行うようにして、閃光が発光していないタイミングでは、測光を行わないようにし、定常光を測定してしまうことによる悪影響を低減する。【選択図】　　　　　　　　図４
2004045679.tif 000002
【特許請求の範囲】
【請求項１】
本発光の前に予備発光を間欠的に繰り返し行う閃光発光部を制御する閃光制御装置であって、
前記予備発光の発光タイミングに略同期して繰り返す間欠的な単位時間中に測光を行う測光部と、
前記測光部により測光された光量に応じて前記本発光の発光光量を制御する制御部と、
を備える閃光制御装置。
【請求項２】
請求項１に記載の閃光制御装置において、
前記測光部は、前記予備発光の被写体による反射光を光電変換して光電流を発生する光電変換部と、
前記光電流を蓄積するコンデンサと、
を有し、
前記コンデンサは、前記間欠的な単位時間にのみ、前記光電流の蓄積を行い、前記予備発光が繰り返し行われている間は、前記光電流を継ぎ足して蓄積すること、
を特徴とする閃光制御装置。
【請求項３】
請求項２に記載の閃光制御装置において、
前記測光部は、前記閃光発光部に発光を行わすための発光トリガから所定の遅れ時間経過後に、前記光電流の蓄積を開始すること、
を特徴とする閃光制御装置。
【請求項４】
請求項３に記載の閃光制御装置において、
前記所定の遅れ時間は、前記閃光発光部の発光特性に応じて異なること、
を特徴とする閃光制御装置。
【請求項５】
請求項２から請求項４までのいずれか１項に記載の閃光制御装置において、
前記測光部は、前記閃光発光部が発光していない状態において、定常光の測光を前記間欠的な単位時間の総和と同じ時間行い、
前記制御部は、前記予備発光時に得られる測光値から前記定常光の測光により得られた測光値を差し引いた差分値に応じて本発光光量を制御すること、
を特徴とする閃光制御装置。
【請求項６】
請求項２から請求項４までのいずれか１項に記載の閃光制御装置において、
前記測光部は、前記閃光発光部が発光していない状態において、定常光の測光を前記予備発光が繰り返し行われている間の蓄積時間、蓄積回数、蓄積間隔が等しい蓄積条件で行い、
前記制御部は、前記予備発光時に得られる測光値から前記定常光の測光により得られた測光値を差し引いた差分値に応じて本発光光量を制御すること、
を特徴とする閃光制御装置。
【請求項７】
請求項５又は請求項６に記載の閃光制御装置において、
前記測光部は、前記予備発光時の測光及び前記定常光の測光を同じゲインで行うこと、
を特徴とする閃光制御装置。
【発明の詳細な説明】
【０００１】
【発明の属する技術分野】
本発明は、閃光発光量を最適に制御する閃光制御装置に関するものである。
【０００２】
【従来の技術】
従来、カメラの閃光制御装置として、撮影時の閃光発光（以下、本発光と呼ぶ）に先立ち、シャッタが閉じている状態で予備的に閃光発光（以下、予備発光と呼ぶ）を行うものが知られている。このような閃光制御装置を搭載したカメラでは、予備発光による閃光が被写体に反射して帰ってきた光を測光し、この測光値を本発光の露光量を決める際の情報として使用する。
【０００３】
このようなカメラの閃光制御装置のうちで、予備発光をパルス状の間欠的な繰り返し発光で行うものがある。
図８は、パルス状の予備発光を行う従来の閃光制御装置のタイミングチャートである。
図８に示した例では、カメラの外に閃光発光部が装着されている場合を示しており、カメラが撮影シーケンスに入ると、予備発光時にはカメラが閃光発光部との電気接点を駆動し、パルス的な予備発光を閃光発光部にさせるためのトリガ信号を周期的に閃光発光部に送る。これにより閃光発光部は予め決められた小さい小発光量の発光を繰り返す。カメラボディ側では、予備発光が始まると予備発光の反射光により反射光測光部で生じた光電流を蓄積する。この蓄積量が予め決められた一定量になると、予備発光のトリガ信号を送るのをストップする。この動作により、反射光測光部の蓄積量がオーバーフローすることなく、反射光測光を行うことができる。
【０００４】
予備発光の後に、太陽や照明などの、閃光発光装置からではない普通の光源による光からなる周囲光（以下、定常光と呼ぶ）の影響を測光して差し引くために、同じ時間、同じセンサで光電流の蓄積を行い、定常光を測光する。この値を先の予備発光測光値から引くことにより、正味の予備発光測光量が求まる。この値から、予備発光の何倍、本発光時に光れば、像面での露光量が適正値に達するかがわかり、本発光量を求めることができる。またオートフォーカスやレンズ繰り出し量などの情報と併せて、被写体の反射率を推定することができ、これらの情報を本発光制御時の情報として使う場合もある。
【０００５】
【発明が解決しようとする課題】
上述した予備発光をパルス状に繰り返して行う従来の閃光制御装置では、反射光の測光部は、予備発光が開始してから周期的な予備発光が終わるまで、測光により生じる光電流を蓄積して測光を行っていた。閃光発光を小光量でおこなうと、閃光が発光している時間は、発光管の大きさなどにもよるが数十μｓｅｃ程度であり、非常に短い時間である。一方、この小光量の閃光を繰り返し発光するときの予備発光全体が終了するまでに要する時間は、発光周波数と発光回数によるが、閃光が発光している時間の数倍〜数十倍の時間がかかる。従来の予備発光測光においては、この長い期間ずっと定常光を測光してしまっていることになる。
【０００６】
しかし、この測光方法では、日中シンクロ時などのように、定常光が大きい（明るい）ときには、測光蓄積値のなかに大きな割合の定常光の成分が含まれてしまう。その結果、測定をしたい予備発光反射光に対応する信号に対し、ノイズとなる定常光に対応する信号が大きくなり、前述の様に定常光測光結果を差し引いても、Ｓ／Ｎ比が悪いため測光精度が悪くなるという問題があった。特に、太陽や空を背にした被写体を撮影する撮影状態では、予備発光反射光信号がノイズである定常光信号に埋もれ、予備発光反射光測光ができない場合があった。
【０００７】
本発明の課題は、定常光が明るく、予備発光の反射光測光が難しいシーンであっても、精度よく予備発光測光を行え、その結果として、本発光時に良好な露光量で閃光発光撮影を行える閃光制御装置を提供することである。
【０００８】
【課題を解決するための手段】
本発明は、以下のような解決手段により、前記課題を解決する。なお、理解を容易にするために、本発明の実施形態に対応する符号を付して説明するが、これに限定されるものではない。すなわち、請求項１の発明は、本発光の前に予備発光を間欠的に繰り返し行う閃光発光部（１）を制御する閃光制御装置であって、前記予備発光の発光タイミングに略同期して繰り返す間欠的な単位時間（ｔ１）中に測光を行う測光部（４）と、前記測光部により測光された光量に応じて前記本発光の発光光量を制御する制御部（３）と、を備える閃光制御装置である。
【０００９】
請求項２の発明は、請求項１に記載の閃光制御装置において、前記測光部（４）は、前記予備発光の被写体による反射光を光電変換して光電流を発生する光電変換部（１０１）と、前記光電流を蓄積するコンデンサ（Ｃ０〜Ｃ５）と、を有し、前記コンデンサは、前記間欠的な単位時間（ｔ１）にのみ、前記光電流の蓄積を行い、前記予備発光が繰り返し行われている間は、前記光電流を継ぎ足して蓄積すること、を特徴とする閃光制御装置である。
【００１０】
請求項３の発明は、請求項２に記載の閃光制御装置において、前記測光部（４）は、前記閃光発光部（１）に発光を行わすための発光トリガから所定の遅れ時間（ｔ３）経過後に、前記光電流の蓄積を開始すること、を特徴とする閃光制御装置である。
【００１１】
請求項４の発明は、請求項３に記載の閃光制御装置において、前記所定の遅れ時間（ｔ３）は、前記閃光発光部（１）の発光特性に応じて異なること、を特徴とする閃光制御装置である。
【００１２】
請求項５の発明は、請求項２から請求項４までのいずれか１項に記載の閃光制御装置において、前記測光部（４）は、前記閃光発光部（１）が発光していない状態において、定常光の測光を前記間欠的な単位時間（ｔ１）の総和と同じ時間（ｔ５）行い、前記制御部（３）は、前記予備発光時に得られる測光値から前記定常光の測光により得られた測光値を差し引いた差分値に応じて本発光光量を制御すること、を特徴とする閃光制御装置である。
【００１３】
請求項６の発明は、請求項２から請求項４までのいずれか１項に記載の閃光制御装置において、前記測光部（４）は、前記閃光発光部（１）が発光していない状態において、定常光の測光を前記予備発光が繰り返し行われている間の蓄積時間（ｔ１）、蓄積回数、蓄積間隔（ｔ２）が等しい蓄積条件で行い、前記制御部（３）は、前記予備発光時に得られる測光値から前記定常光の測光により得られた測光値を差し引いた差分値に応じて本発光光量を制御すること、を特徴とする閃光制御装置である。
【００１４】
請求項７の発明は、請求項５又は請求項６に記載の閃光制御装置において、前記測光部（４）は、前記予備発光時の測光及び前記定常光の測光を同じゲインで行うこと、を特徴とする閃光制御装置である。
【００１５】
【発明の実施の形態】
以下、図面等を参照しながら、本発明の実施の形態について、更に詳しく説明する。
（第１実施形態）
図１は、本発明による閃光制御装置の第１実施形態を含むカメラを示す図である。
本実施形態におけるカメラは、閃光発光部１，接続端子２，マイコン３，反射光測光部４，反射光測光用再結像レンズ５，シャッタ面６，撮像面７，撮影レンズ８，クイックリターンミラー９，焦点板１０，ペンタダハプリズム１１，接眼レンズ１２，測光素子１３，定常光測光用再結像レンズ１４等を備えている。
【００１６】
閃光発光部１は、カメラボディに対して着脱自在な、いわゆる外部ストロボであり、カメラボディ側からの予備発光トリガに応じて小発光量での予備発光を行い、本発光トリガに応じて本発光を行うようになっている。また、閃光発光部内マイコン１５を備え、接続端子２を介してカメラボディとの間で各種通信を行うことができる。
【００１７】
接続端子２は、閃光発光部とカメラボディとを接続する端子であり、本発光開始トリガ，発光ストップトリガ，予備発光トリガ，その他の通信をこの接続端子２を介して行うようになっている。接続端子２は、各種通信内容ごとに個別の端子を設けてもよいし、いくつかの機能を重複して受け持つようにしてもよい。
【００１８】
マイコン３は、カメラ全体の制御を行う処理部であり、マイコンのポートや、Ａ／Ｄ，Ｄ／Ａ変換部、割り込み端子などを備えている。
【００１９】
撮影レンズ８を通過した光束は、クイックリターンミラー９によって折り曲げられ、焦点板１０上にいったん結像する。その後に、ペンタダハプリズム１１、接眼レンズ１２を通って撮影者の目に到達する。
一方、焦点板１０によって拡散された光束の一部は、ペンタダハプリズム１１、定常光測光用再結像レンズ１４を通して定常光用の測光素子１３上へ再結像される。
【００２０】
反射光測光部４は、シャッタ面６又は撮像面７に結ばれた被写体の像を、反射光測光用再結像レンズ５を介して、反射光測光部４が有する光電変換部１０１のセンサ面に再結像した被写体像を測光する測光部であり、ミラーボックス内床下に搭載されている。
【００２１】
図２は、反射光測光部４の内部構成を示すブロック図である。
反射光測光部４内には、光を電流に変える光電変換部１０１と、光電変換部１０１の光電流を蓄積するコンデンサＣ１〜Ｃ５、光電流をコンデンサＣ１〜Ｃ５に流すかどうかを切り替えるスイッチ部１０２等を有している。光電変換部１０１は、たとえばシリコンホトダイオード（ＳＰＤ）を用いる。この光電流をヘッドアンプ１０３で増幅する。光電流を増幅するゲインは、ゲイン設定部１０６でチャンネル毎に設定できるようになっている。
【００２２】
また、光電変換部１０１は、被写界を複数の領域Ａ１〜Ａ５（図３参照）に分割する形に分かれており、各チャンネルで生じた光電流をチャンネル毎のコンデンサＣ１〜Ｃ５に流すようになっている。各コンデンサＣ１〜Ｃ５では、光電流に応じた電荷を蓄え、各コンデンサの電圧は、チャンネル選択部１０４を介して出力可能になっており、この出力電圧（ＯＵＴ端子）をマイコン３のＡ／Ｄ変換部でＡ／Ｄ変換し、測光結果を得ることができる。スイッチ部１０２は、マイコン３からの端子ＩＴＧ（以下、蓄積可能端子と呼ぶ）の上げ下げによって、光電流をコンデンサに流すかどうかを切り替える。
【００２３】
また、各チャンネルで生じた光電流を電流コピー部１０５でコピーし、その総和に応じた電荷をコンデンサＣ０で蓄積する。この総和電流により蓄積されたコンデンサＣ０の電圧が設定された電圧に達すると、コンパレータ１０７が動作し、本発光および予備発光のためのストップ信号ＳＴＯＰを出力するようになっている。
コンデンサＣ０，Ｃ１〜Ｃ５の各コンデンサ電圧は、ＲＥＳＥＴ端子をＯＦＦしている間は、蓄積電圧を保持するようになっており、ＲＥＳＥＴをＯＮすると電荷をリセットするようになっている。ＣＨ端子は、これを駆動することにより、蓄積電圧のチャンネル選択や、ゲイン設定のチャンネル選択をできるようになっている。
【００２４】
次に、本実施形態における閃光制御装置の動作について説明する。
図４は、本発明の動作シーケンスを示すタイミングチャートである。
（ミラーアップ／絞り込み動作）
まず、レリーズボタンが押されることによりレリーズシーケンスに入ると、クイックリターンミラー９が上がり、不図示の撮影レンズ絞りが絞り込まれる。
【００２５】
（ゲイン設定動作）
次に、反射光測光部４にマイコン３から、測光のためのゲインが設定される。本実施形態では、マイコンのＤ／Ａ変換器を介してアナログ電圧でＧＡＩＮ端子を駆動し、反射光測光部４に設定される。
【００２６】
（予備発光動作−１）
ゲイン設定の後、マイコン３が接続端子２を通して閃光発光部１に予備発光トリガ信号を送り、これに応じて閃光発光部１は、所定の小発光量にて１発分の予備発光を行う。このトリガと同時に閃光発光部１の蓄積可能端子ＩＴＧをＯＮにし、閃光発光の反射光による光電流の蓄積が開始される。蓄積可能端子ＩＴＧをＯＮにしてから所定時間ｔ１経過（この間に予備発光１パルス分の発光が終了する）後にマイコン３は、蓄積可能端子ＩＴＧをＯＦＦ状態に戻す。これにより反射光測光部４は、光電流の蓄積を中断する。
【００２７】
（予備発光動作−２）
１回目の予備発光トリガから所定時間ｔ２を経過した後、マイコン３は、再び予備発光トリガ信号を送り、１発分の予備発光を行う。ここで、所定時間ｔ２は、予備発光周波数で決まる時間である。また、ＩＴＧ　ＯＮにより閃光発光部では光電流の蓄積を再び開始し、前回までの蓄積値に継ぎ足して光電流の蓄積を行う。
【００２８】
（予備発光動作−３）
予備発光動作１〜２をストップ信号ＳＴＯＰが反射光測光部から出されるまで繰り返す。ここで、ストップ信号ＳＴＯＰは、コンデンサＣ０における光電流の蓄積値が予め決められた閾値を超えると、コンパレータ１０７が作動して出力される。ストップ信号ＳＴＯＰが出力されると、マイコン３が反射光測光部４からストップ信号ＳＴＯＰが出力されたのを検出し、次の予備発光トリガを送るのを止める。
【００２９】
（予備発光測光値読み込み動作）
反射光測光部４に蓄積された各チャンネルの蓄積値をマイコン３は、Ａ／Ｄ変換器を通して読み込む。これより予備発光測光値を求める。
【００３０】
（発光量計算動作）
予備発光測光値から、本発光時には、予備発光の何倍で発光すれば像面で基準露光量を与えることができるかをマイコン３内で計算する。
発光量の計算では、レンズの繰り出し量に応じて撮影レンズマイコン３から通信で送られる撮影距離情報や、オートフォーカスセンサからの情報と、予備発光量測光値を併せて、各エリア（反射光測光部４のチャンネルに対応する被写界のエリア）における被写体の反射率を推定する。この情報を用いて、本発光時の発光量の補正（最適化）を行う。この制御の詳細に関しては従来から知られているところであるので、説明は省略する。これらの演算の結果、本発光のための発光制御量が演算される。発光量の計算が終了すると、ボディ側のマイコン３から、閃光発光部内マイコン１５に対し、本発光のための発光制御量が通信される。
【００３１】
（シャッタ開／本発光動作）
発光量計算が終了すると、カメラボディ側でシャッタ先幕を開き、本発光を行う。シャッタが全開になるとマイコン３は、本発光トリガを送る。閃光発光部１では、この発光制御量に基づいて、本発光を行う。具体的には、予備発光の発光量の総和に対して何倍で発光するのかという発光制御量に従い、予備発光の指示倍数分の強度で本発光を行う。なお、この場合は、本発光時に反射光測光部４を動作させる必要はない。
フィルムを使用する銀塩カメラであれば図４に図示したように、フィルムでの反射光をリアルタイムに測光して、再びＳＴＯＰ信号が出た時点で本発光をＳＴＯＰさせて調光することもできる（図４では、この銀塩カメラの場合を例として示している）。
【００３２】
（シャッタ閉動作）
露光秒時後、シャッタ後幕を走らせて、シャッタを閉じ、その後、主ミラーを下げ、撮影レンズ絞りを開放に戻して、レリーズシーケンスを終了する。
【００３３】
このように、本実施形態では、間欠的に発光している予備発光に同期して、反射光測光部４の光電流を蓄積回路に流すようにして、１パルス分の閃光発光が終わる時間だけ経過した後は、光電流を蓄積回路に流さないようにしている。また、次の１パルス分の閃光発光が行われるときには、再び光電流を蓄積回路に流し、閃光発光が終了する時間経過後は、光電流をふたたび蓄積回路に流さないようにしている。このとき、前回までの光電流蓄積値に継ぎ足してつぎの閃光測光電流を蓄積している。このようにすることにより、特別なセンサを用いずに、定常光が大きい場合でも、相対的に測光値のうちの定常光寄与分を小さく抑え、予備発光反射光寄与分の比率を大きくし、精度よく測光を行える。また、反射光が少ないときでも微弱な電流を順次蓄積して、精度よく予備発光測光を行える。
【００３４】
上述したような構成と動作により、日中シンクロのように定常光が大きい場合でも、蓄積をＯＮ／ＯＦＦし、継ぎ足して蓄積を行うことのできるセンサを用いるだけで、定常光の影響を小さくすることができる。その結果、予備発光の測光を精度よく行い、本発光量を適正に制御することができる。これにより、より好ましい画像を撮影することができる。
【００３５】
（第２実施形態）
第２実施形態は、予備発光における反射光測光部４の動作のみが、第１実施形態と異なるので、この異なる部分のみ説明し、他の共通する部分の説明は省略する。
図５は、第２実施形態における予備発光測光の部分の動作を示すタイミングチャートである。なお、図５及び後述する図６（第３実施形態），図７（第４実施形態）に示していない部分の動作については、図４と同様である。
【００３６】
（予備発光動作−１）
第１実施形態において説明した（ミラーアップ／絞り込み動作），（ゲイン設定動作）を行った後、マイコン３が閃光発光部１に予備発光トリガ信号を送り、これに応じて閃光発光部１は、所定の小発光量にて１発分の予備発光を行う。このトリガからわずかな所定時間ｔ３（ディレイｔ３）経過後に、閃光発光部１の蓄積可能端子ＩＴＧをＯＮにし、閃光発光の反射光による光電流の蓄積が開始される。所定時間ｔ４経過（この間に予備発光１パルス分の発光が終了する）後に、マイコン３は、蓄積可能端子ＩＴＧをＯＦＦ状態に戻す。これにより反射光測光部４は、光電流の蓄積を中断する。
【００３７】
（予備発光動作−２）
１回目の予備発光トリガから所定時間ｔ２を経過した後、マイコン３は、再び予備発光トリガ信号を送り、１発分の予備発光を行う。ここで、所定時間ｔ２は、予備発光周波数で決まる時間であり、第１実施形態と同じ時間としている。また、ディレイｔ３経過後、蓄積可能端子ＩＴＧをＯＮすることにより閃光発光部では光電流の蓄積を再び開始し、前回までの蓄積値に継ぎ足して光電流の蓄積を行う。
【００３８】
（予備発光動作−３）
予備発光動作１〜２をストップ信号ＳＴＯＰが反射光測光部から出されるまで繰り返す。ここで、ストップ信号ＳＴＯＰは、コンデンサＣ０における光電流の蓄積値が予め決められた閾値を超えると、コンパレータ１０７が作動して出力される。ストップ信号ＳＴＯＰが出力されると、マイコン３が反射光測光部４からストップ信号ＳＴＯＰが出力されたのを検出し、次の予備発光トリガを送るのを止める。
【００３９】
（予備発光測光値読み込み動作）
反射光測光部４に蓄積された各チャンネルの蓄積値をマイコン３は、Ａ／Ｄ変換器を通して読み込む。これより予備発光測光値を求める。
【００４０】
その後、発光量計算動作，シャッタ開／本発光動作，シャッタ閉動作を第１実施形態と同様にして行い、動作を終了する。
【００４１】
本実施形態では、上述のように予備発光トリガをマイコン３が送った後、わずかな所定時間ｔ３（ディレイｔ３）をおいて測光部蓄積許可をすることとしている。
閃光発光のトリガを送るときには、高電圧のかかっている閃光発光回路がＯＮするため、ノイズが発生する場合があり、このときに反射光測光部４が測定を行っていると、このノイズを反射光測光部４が拾ってしまい精度を悪化させるおそれがある。
【００４２】
また、閃光発光部１は、トリガを受けてから発光管が実際に光りだすまでに時間がかかる。従って、トリガと同時に反射光の測光を開始すると、閃光発光部がまだ発光していない時に測光を開始することとなり、定常光を余計に測光してしまい、測光の精度を低下させる要因となる。
そこで、本実施形態では、ディレイｔ３を設けることにより、トリガに起因するノイズの悪影響を排除するとともに、実質的に光っている間のみ反射光測光を行い、定常光の影響をさらに排除して、予備発光における測光の精度を向上している。
【００４３】
一般に、トリガを与えてから閃光発光部１が実際に光りだすまでの時間は、発光管の大きさなどによって左右され、通常は、数十μｓｅｃ程度となる。すなわち、小さい発光管では、大きい発光管よりもこの時間が小さい。そこで、小さい発光管をもつ内蔵閃光発光部の場合は、短いディレイ時間の後に蓄積を開始し、大きい発光管をもつ外部閃光発光部の場合は、長いディレイ時間のあと蓄積を開始することが、測光精度を高くするためには好ましい。
【００４４】
本実施形態によれば、上述のように予備発光トリガをマイコン３が送った後、わずかな所定時間ｔ３（ディレイｔ３）をおいて測光部蓄積許可をすることによって、反射光測光の精度をさらに高くすることができる。
【００４５】
（第３実施形態）
第３実施形態は、予備発光における反射光測光部４の動作のみが、第１実施形態と異なるので、この異なる部分のみ説明し、他の共通する部分の説明は省略する。
図６は、第３実施形態における予備発光測光の部分の動作を示すタイミングチャートである。
【００４６】
（予備発光動作−１）
第１実施形態において説明した（ミラーアップ／絞り込み動作）（ゲイン設定動作）を行った後、マイコン３が接続端子２を通して閃光発光部１に予備発光トリガ信号を送り、これに応じて閃光発光部１は、所定の小発光量にて１発分の予備発光を行う。このトリガと同時に、閃光発光部１の蓄積可能端子ＩＴＧをＯＮにし、閃光発光の反射光による光電流の蓄積が開始される。所定時間ｔ１経過（この間に予備発光１パルス分の発光が終了する）後に、マイコン３は、蓄積可能端子ＩＴＧをＯＦＦ状態に戻す。これにより反射光測光部４は、光電流の蓄積を中断する。
【００４７】
（予備発光動作−２）
１回目の予備発光トリガから所定時間ｔ２を経過した後、マイコン３は、再び予備発光トリガ信号を送り、１発分の予備発光を行う。ここで、所定時間ｔ２は、予備発光周波数で決まる時間であり、第１実施形態と同じ時間としている。また、蓄積可能端子ＩＴＧをＯＮすることにより、閃光発光部では光電流の蓄積を再び開始し、前回までの蓄積値に継ぎ足して光電流の蓄積を行う。
【００４８】
（予備発光動作−３）
予備発光動作１〜２をストップ信号ＳＴＯＰが反射光測光部から出されるまで繰り返す。ここで、ストップ信号ＳＴＯＰは、コンデンサＣ０における光電流の蓄積値が予め決められた閾値を超えると、コンパレータ１０７が作動して出力される。ストップ信号ＳＴＯＰが出力されると、マイコン３が反射光測光部４からストップ信号ＳＴＯＰが出力されたのを検出し、次の予備発光トリガを送るのを止める。
【００４９】
（予備発光測光値読み込み動作）
反射光測光部４に蓄積された各チャンネルの蓄積値をマイコン３は、Ａ／Ｄ変換器を通して読み込む。これより予備発光測光値を求める。
【００５０】
（定常光測光動作）
マイコン３は、反射光測光部４の蓄積可能端子ＩＴＧを、予備発光測光で蓄積を行っていた時間の総和と同じ時間だけＯＮ状態にし、定常光測光を行う。図６に示した例では、予備発光を３回行っており、各予備発光において予備発光の測定時間がｔ１であるので、ｔ５＝３×ｔ１として、定常光の測光を行う。また、この測光は、予備発光の測光時と同じゲインで行う。
【００５１】
（定常光測光値読み込み動作）
定常光の測光が終わると、マイコン３は、各チャンネルの蓄積値をＡ／Ｄ変換器を通して読み込む。この定常光の測光値を得ることにより、マイコン３では、各チャンネルの予備発光測光値から定常光測光値を差し引いて、定常光の影響を排除して正味の予備発光測光値を求めることができる。
【００５２】
（発光量計算動作）
正味の予備発光測光値から、本発光時には、予備発光の何倍で発光すれば像面で基準露光量を与えることができるかをマイコン３内で計算する。この計算の後は、第１実施形態と同様の演算、動作を行う。
【００５３】
本実施形態によれば、予備発光の測光の後に、予備発光測光として蓄積を行った時間の総和と同じ時間だけ、同じゲインで、閃光を発光せずに定常光の測光を行う。この値を予備発光測光の値から差し引くことにより、さらに定常光の影響を差し引き、測光精度を上げることができ、よりよい精度で閃光発光を行うことができる。
【００５４】
（第４実施形態）
第４実施形態は、予備発光における反射光測光部４の動作のみが、第１実施形態と異なるので、この異なる部分のみ説明し、他の共通する部分の説明は省略する。
図７は、第４実施形態における予備発光測光の部分の動作を示すタイミングチャートである。
【００５５】
（予備発光動作−１）
第１実施形態において説明した（ミラーアップ／絞り込み動作）（ゲイン設定動作）を行った後、マイコン３が接続端子２を通して閃光発光部１に予備発光トリガ信号を送り、これに応じて閃光発光部１は、所定の小発光量にて１発分の予備発光を行う。このトリガと同時に、閃光発光部１の蓄積可能端子ＩＴＧをＯＮにし、閃光発光の反射光による光電流の蓄積が開始される。所定時間ｔ１経過（この間に予備発光１パルス分の発光が終了する）後に、マイコン３は、蓄積可能端子ＩＴＧをＯＦＦ状態に戻す。これにより反射光測光部４は、光電流の蓄積を中断する。
（定常光測光動作）
【００５６】
（予備発光動作−２）
１回目の予備発光トリガから所定時間ｔ２を経過した後、マイコン３は、再び予備発光トリガ信号を送り、１発分の予備発光を行う。ここで、所定時間ｔ２は、予備発光周波数で決まる時間であり、第１実施形態と同じ時間としている。また、蓄積可能端子ＩＴＧをＯＮすることにより閃光発光部では光電流の蓄積を再び開始し、前回までの蓄積値に継ぎ足して光電流の蓄積を行う。
【００５７】
（予備発光動作−３）
予備発光動作１〜２をストップ信号ＳＴＯＰが反射光測光部から出されるまで繰り返す。ここで、ストップ信号ＳＴＯＰは、コンデンサＣ０における光電流の蓄積値が予め決められた閾値を超えると、コンパレータ１０７が作動して出力される。ストップ信号ＳＴＯＰが出力されると、マイコン３が反射光測光部４からストップ信号ＳＴＯＰが出力されたのを検出し、次の予備発光トリガを送るのを止める。
【００５８】
（予備発光測光値読み込み動作）
反射光測光部４に蓄積された各チャンネルの蓄積値をマイコン３は、Ａ／Ｄ変換器を通して読み込む。これより予備発光測光値を求める。
【００５９】
（定常光測光動作）
マイコン３は、マイコン３は、予備発光測光で蓄積を行っていた蓄積時間，蓄積回数，蓄積間隔が等しい蓄積条件となるように、反射光測光部４の蓄積可能端子ＩＴＧのＯＮ／ＯＦＦを繰り返して、定常光測光を行う。図７に示した例では、蓄積時間ｔ１の定常光測光を、蓄積間隔ｔ２の間隔で、蓄積回数３回となる蓄積条件で予備発光の測光を行っているので、これと同一の蓄積条件（蓄積時間ｔ１の定常光測光を、蓄積間隔ｔ２の間隔で、蓄積回数３回）で、定常光の測光を行う。また、この測光は、予備発光測光時と同じゲインで行う。
【００６０】
（定常光測光値読み込み動作）
定常光の測光が終わると、マイコン３は、各チャンネルの蓄積値をＡ／Ｄ変換器を通して読み込む。この定常光の測光値を得ることにより、マイコン３では、各チャンネルの予備発光測光値から定常光測光値を差し引いて、定常光の影響を排除して正味の予備発光測光値を求めることができる。
【００６１】
（発光量計算動作）
正味の予備発光測光値から、本発光時には、予備発光の何倍で発光すれば像面で基準露光量を与えることができるかをマイコン３内で計算する。この計算の後は、第１実施形態と同様の演算、動作を行う。
【００６２】
本実施形態によれば、予備発光の測光と同一の蓄積条件（蓄積時間，蓄積間隔，蓄積回数）で、定常光の測光を行うようにしたので、反射光測光部４のヘッドアンプ部分、スイッチ部などの動的な条件も予備発光測光時と同一として定常光測光を行うことができる。したがって、反射光測光部４の動的な挙動も考慮に入れた上で、定常光測光ができるので、予備発光測光値から定常光測光値を引くことで動的な特性に起因する誤差についても排除することができ、さらに測光精度を上げることができ、よりよい精度で閃光発光を行うことができる。
【００６３】
（変形形態）
以上説明した実施形態に限定されることなく、種々の変形や変更が可能であって、それらも本発明の均等の範囲内である。
例えば、各実施形態において、複数回の予備発光又は定常光の測光を、コンデンサに蓄積した後に、マイコンに読みとらせる例を示したが、これに限らず、例えば、測定の度にマイコンが測光値を読みとるようにして、マイコン内で加算するようにしてもよい。
【００６４】
【発明の効果】
以上詳しく説明したように、本発明によれば、予備発光の発光タイミングに略同期して繰り返す間欠的な単位時間中に測光を行うので、定常光の影響を少なくして、予備発光の測光を精度よく行うことができる。したがって、定常光が明るく、予備発光の反射光測光が難しいシーンであっても、精度よく予備発光測光を行え、その結果として、本発光時に良好な露光量で閃光発光撮影を行える。
【００６５】
また、光電流を蓄積するコンデンサを有し、コンデンサは、間欠的な単位時間にのみ、光電流の蓄積を行い、予備発光が繰り返し行われている間は、光電流を継ぎ足して蓄積するので、簡単な変更で、本発明を実現することができる。
【００６６】
さらに、発光トリガから所定の遅れ時間経過後に、光電流の蓄積を開始し、この遅れ時間は、閃光発光部の発光特性に応じて異なるので、さらに定常光の影響を少なくすることができる。
【００６７】
さらにまた、閃光発光部が発光していない状態において、定常光の測光を閃光測光における間欠的な単位時間の総和と同じ時間、又は、同じ蓄積条件（蓄積時間、蓄積回数、蓄積間隔）、さらに同じゲインで行い、予備発光時に得られる測光値から定常光の測光により得られた測光値を差し引いた差分値に応じて本発光光量を制御するので、定常光の影響を排除して、より正確な閃光制御を行うことができる。
【図面の簡単な説明】
【図１】本発明による閃光制御装置の第１実施形態を含むカメラを示す図である。
【図２】反射光測光部４の内部構成を示すブロック図である。
【図３】光電変換部１０１における被写界の領域分割の状態を示す図である。
【図４】本発明の動作シーケンスを示すタイミングチャートである。
【図５】第２実施形態における予備発光測光の部分の動作を示すタイミングチャートである。
【図６】第３実施形態における予備発光測光の部分の動作を示すタイミングチャートである。
【図７】第４実施形態における予備発光測光の部分の動作を示すタイミングチャートである。
【図８】パルス状の予備発光を行う従来の閃光制御装置のタイミングチャートである。
【符号の説明】
１　閃光発光部
２　閃光発光部との接続端子
３　マイコン
４　反射光測光部
５　反射光測光用再結像レンズ
６　シャッタ面
７　撮像面
８　撮影レンズ
９　クイックリターンミラー
１０　焦点板
１１　ペンタダハプリズム
１２　接眼レンズ
１３　測光素子
１４　定常光測光用再結像レンズ
１５　閃光発光部内マイコン
１０１　光電変換部
１０２　スイッチ部
１０３　ヘッドアンプ
１０４　チャンネル選択部
１０５　電流コピー部
１０６　ゲイン設定部
１０７　コンパレータ
【図１】
2004045679.tif 000003
【図２】
2004045679.tif 000004
【図３】
2004045679.tif 000005
【図４】
2004045679.tif 000006
【図５】
2004045679.tif 000007
【図６】
2004045679.tif 000008
【図７】
2004045679.tif 000009
【図８】
2004045679.tif 000010